(57)【要約】      （修正有）【課題】貼付の場所によらず抵抗感なく楽しく使用することができる装飾湿布および皮膚貼付材を提供する。【解決手段】装飾湿布１は、シート状またはテープ状の支持体１０と、支持体に設けられる膏体２０と、支持体の縁１０ａに設けられ、一方向に延在する装飾部３０と、を備えた。【選択図】図１
0003226267.tif 000002
【実用新案登録請求の範囲】
【請求項１】
支持体と、
前記支持体に設けられる膏体と、
前記支持体の縁に設けられ、一方向に延在する装飾部と、
を備えた装飾湿布。
【請求項２】
前記装飾部は、前記一方向に連続する形状または模様を有する、請求項１記載の装飾湿布。
【請求項３】
前記支持体は長尺状に設けられ、
前記支持体の長辺に沿って前記装飾部が設けられた、請求項１または請求項２に記載の装飾湿布。
【請求項４】
前記支持体は矩形状に設けられ、
前記支持体の１辺のみ沿って前記装飾部が設けられた、請求項１から請求項３のいずれか１項に記載の装飾湿布。
【請求項５】
前記装飾部は、前記支持体と一体に設けられた、請求項１から請求項４のいずれか１項に記載の装飾湿布。
【請求項６】
前記装飾部は、前記支持体と別体に設けられた、請求項１から請求項４のいずれか１項に記載の装飾湿布。
【請求項７】
前記支持体、前記膏体および前記装飾部を含む構造体がロール状に構成された、請求項１から請求項６のいずれか１項に記載の装飾湿布。
【請求項８】
支持体と、
前記支持体に設けられ、皮膚に貼付するための貼付機能部と、
前記支持体の縁に設けられ、一方向に延在する装飾部と、
を備えた皮膚貼付材。
【請求項９】
前記支持体、前記貼付機能部および前記装飾部を含む構造体がロール状に構成された、請求項８記載の皮膚貼付材。
【考案の詳細な説明】
【技術分野】
【０００１】
本考案は装飾湿布および皮膚貼付材に関し、より詳しくは、見えるところにも抵抗感なく貼ることができる装飾湿布および皮膚貼付材に関するものである。
【背景技術】
【０００２】
鎮痛や消炎などの効能を有する湿布は肌に貼って使用するものであるため、貼る場所によっては人目に付きやすく、抵抗感があることもある。特許文献１では、湿布を花形にカッティングし、花の模様を印刷し、無香性の湿布に花の香りを付けることで、周りの人に見られても恥ずかしくなく、湿布特有の匂いが香らないように配慮した湿布が開示される。
【０００３】
また、特許文献２には、意匠性の向上を図って人前でも抵抗なく使用できる外用貼付シートして、肌に接する側とは反対側のシートの表面に絵や文字などの模様を画してなる外用貼付シートが開示される。
【先行技術文献】
【特許文献】
【０００４】
【特許文献１】実用新案登録第３１４５７６７号公報
【特許文献２】実開平０６−０２６８３２号公報
【考案の概要】
【考案が解決しようとする課題】
【０００５】
湿布については鎮痛や消炎といった効能が重要であり、またテーピング用のテープや医療用テープについてもその目的があることから、貼る人の気持ちに寄り添った商品展開はあまりなされていない。そこで、本考案は、貼付の場所によらず抵抗感なく楽しく使用することができる装飾湿布および皮膚貼付材を提供することを目的とする。
【課題を解決するための手段】
【０００６】
本考案の一態様は、支持体と、支持体に設けられる膏体と、支持体の縁に設けられ、一方向に延在する装飾部と、を備えた装飾湿布である。このような構成によれば、衣服で隠れない位置に湿布を貼る際に装飾部を見せるようにして貼ることができる。
【０００７】
上記装飾湿布において、装飾部は、一方向に連続する形状または模様を有していてもよい。これにより、支持体の縁に連続した形状または模様の装飾部を容易に構成できるようになる。
【０００８】
上記装飾湿布において、支持体は長尺状に設けられ、支持体の長辺に沿って装飾部が設けられていてもよい。長尺状の支持体によって、湿布を細長く貼ったり、巻き付けるように貼ったりすることができ、より露出しやすい部分に貼った際に装飾部を効果的に見せることができる。
【０００９】
上記装飾湿布において、支持体は矩形状に設けられ、支持体の１辺のみ沿って装飾部が設けられていてもよい。これにより、矩形状の支持体によって湿布を広い範囲に貼ることができるとともに、縁が露出する際には露出する側に装飾部を配置して見せるようにすることができる。
【００１０】
上記装飾湿布において、装飾部は、支持体と一体に設けられていてもよいし、別体に設けられていてもよい。装飾部が支持体と一体に設けられている場合には、支持体の縁を切断することで装飾部を構成でき、別体に設けられている場合には支持体の縁に別個で好みの装飾部を取り付けることができる。
【００１１】
上記装飾湿布において、支持体、膏体および装飾部を含む構造体がロール状に構成されていてもよい。これにより、装飾部を有する湿布を必要な長さにロールから引き出して貼ることができる。
【００１２】
本考案の一態様は、支持体と、支持体に設けられ、皮膚に貼付するための貼付機能部と、支持体の縁に設けられ、一方向に延在する装飾部と、を備えた皮膚貼付材である。このような構成によれば、衣服で隠れない位置に皮膚貼付材を貼る際に装飾部を見せるようにして貼ることができる。
【００１３】
上記皮膚貼付材において、支持体、貼付機能部および装飾部を含む構造体がロール状に構成されていてもよい。これにより、装飾部を有する皮膚貼付材を必要な長さにロールから引き出して貼ることができる。
【考案の効果】
【００１４】
本考案によれば、貼付の場所によらず抵抗感なく楽しく使用することができる装飾湿布および皮膚貼付材を提供することが可能になる。
【図面の簡単な説明】
【００１５】
【図１】（ａ）および（ｂ）は、本実施形態に係る装飾湿布の構成を例示する図である。
【図２】矩形状の支持体の例を示す模式図である。
【図３】長尺状の支持体の例を示す模式図である。
【図４】ロール状の例を示す模式図である。
【図５】（ａ）および（ｂ）は、分割タイプの例を示す模式図である。
【図６】（ａ）および（ｂ）は、本実施形態に係る装飾湿布の使用例を示す模式図である。
【図７】（ａ）および（ｂ）は、本実施形態に係る装飾湿布の使用例を示す模式図である。
【考案を実施するための形態】
【００１６】
以下、本考案の実施形態を図面に基づいて説明する。なお、以下の説明では、同一の部材には同一の符号を付し、一度説明した部材については適宜その説明を省略する。
【００１７】
（装飾湿布の構成）
図１（ａ）および（ｂ）は、本実施形態に係る装飾湿布の構成を例示する図である。図１（ａ）には装飾湿布１の平面図が示され、図１（ｂ）には図１（ａ）に示すＡ−Ａ断面図が示される。
すなわち、本実施形態に係る装飾湿布１は、支持体１０と、支持体１０に設けられる膏体２０と、支持体１０の縁１０ａに設けられ、一方向Ｄ１に延在する装飾部３０と、を備える。
【００１８】
支持体１０は、柔軟性を備えたシート状またはテープ状の部材である。支持体１０は伸縮性を備えていてもよい。支持体１０には、不織布、布生地、プラスチックフィルムなどが用いられる。
【００１９】
膏体２０は支持体１０の一方面に設けられる。膏体２０は、鎮痛や消炎の有効成分を有する薬剤に適度な粘着剤や増粘剤を添加したものである。膏体２０の上には保護用の剥離フィルム（ライナー）４０が取り付けられていてもよい。使用時には剥離フィルム４０を剥がすことで膏体２０を露出させて皮膚に貼り付ける。
【００２０】
装飾部３０は、支持体１０の縁１０ａに設けられ、支持体１０の縁１０ａに沿って一方向Ｄ１に延在する意匠性を高める部分である。装飾部３０としては、縁１０ａに沿って一方向Ｄ１に連続する形状または模様が好ましい。例えば、装飾部３０は、縁１０ａに沿って連続する波形の部分であったり、縁１０ａに沿って連続するレース模様の部分であったりする。一方向Ｄ１に連続するとは、所定の形状や模様の単位が一方向Ｄ１に直線的に連続して配置される（出現する）ことを言う。
【００２１】
装飾部３０は、支持体１０と一体で設けられていてもよいし、別体で設けられていてもよい。装飾部３０が支持体１０と一体の場合には、支持体１０の縁１０ａを含む一部領域に意匠性を高めた形状または模様に成形することで装飾部３０が構成される。例えば、支持体１０の縁１０ａを波形やレース模様が付くように切断することで装飾部３０が形成される。装飾部３０が支持体１０と一体の場合、装飾部３０にも膏体２０や剥離フィルム４０が設けられていてもよい。装飾部３０が支持体１０と一体の場合には、湿布製造時の縁の切断工程の際に装飾部３０を構成することができ、容易に製造可能である。
【００２２】
また、装飾部３０が支持体１０と別体の場合には、支持体１０の縁１０ａに沿って、支持体１０とは別個に形成された装飾部３０が取り付けられる。例えば、支持体１０とは別個にテープ状等の装飾部３０を用意しておき、支持体１０の縁１０ａの部分に装飾部３０を貼り付けるようにしてもよい。装飾部３０が支持体１０と別体の場合には、通常の湿布の縁に好みの装飾部３０を取り付けられるとともに、湿布製造時の縁の切断工程では困難な装飾部３０であっても取り付けることができる。
【００２３】
このような装飾湿布１を用いることで、衣服で隠れない位置に湿布を貼る場合や、衣服から湿布の一部がはみ出てしまうような場合があっても、装飾部３０を見せるように貼ることで、湿布を貼っているような印象を与えないようにすることができる。本実施形態では、あえて装飾部３０を見せるようにして、湿布をファッションの一部のように楽しむこともできる。
【００２４】
（矩形状の例）
図２は、矩形状の支持体の例を示す模式図である。
図２に示すように、支持体１０は矩形状（正方形または長方形）に設けられていてもよい。矩形状の支持体１０には４つの辺である縁１０ａが設けられる。４つの辺のうち少なくとも１辺に沿って装飾部３０が設けられる。なお、装飾部３０が支持体１０と一体に設けられる場合、装飾部３０と支持体１０との境界が縁１０ａに相当する。境界は、装飾部３０における連続する形状や模様の単位の並ぶ方向と並行な線であって、その形状や模様の最も内側と接する線に対応する。
【００２５】
装飾部３０としては、図１に示す特定の形状（例えば、波形）であってもよいし、図２に示すようなレース模様のパターンが一方向Ｄ１に連続して設けられたものであってもよい。図２に示す例では、矩形状の支持体１０の１辺のみに沿って装飾部３０が設けられる。すなわち、支持体１０の１辺のみに装飾部３０が設けられ、他の３辺は直線の状態になっている。このような装飾湿布１では、皮膚に貼り付けた際に衣服からはみ出す部分を装飾部３０にすることで、見た目のファッション性を高めることができる。一方、装飾部３０が設けられていない側を衣服に隠すようにすればよく、この部分は矩形状のうち３辺を直線に設けていることから、皮膚への密着性の低下や剥がれやすさを抑制することができる。
【００２６】
なお、装飾部３０は、矩形状の支持体１０の隣接する２辺に設けられていてもよいし、対向する２辺に設けられていてもよいし、３辺に設けられていてもよい。さらに、装飾部３０は、矩形状の支持体１０の４辺の全てに設けられていてもよい。
【００２７】
また、装飾部３０を支持体１０と一体に設ける場合、装飾部３０を構成する形状や模様が所定の単位で一方向Ｄ１に連続するように設けられていると、装飾湿布１を製造する際に縁をカットする工程で容易に装飾部３０を形成することができる。
【００２８】
（長尺状の例）
図３は、長尺状の支持体の例を示す模式図である。
図３に示すように、支持体１０は長尺状（細長い形状）に設けられていてもよい。長尺状とは、短辺に対する長辺の長さの比が約２以上のことをいう。支持体１０の長尺状の一例としては、短辺の長さが約１ｃｍから約１０ｃｍ以下程度であり、上記の比が約２を越える。この装飾湿布１では、長尺状の支持体１０の長辺に沿って装飾部３０が設けられる。長尺状の支持体１０によって装飾湿布１を患部に巻き付けるようにして貼ることができる。例えば、支持体１０の幅（短辺の長さ）を約１ｃｍから約２ｃｍ程度にすることで、指に巻き付けるように装飾湿布１を貼ることができる。また、支持体１０の幅を約５ｃｍ程度にすることで、腕、脚、太もも、胴回りなどに巻くように装飾湿布１を貼ることができる。
【００２９】
長尺状の支持体１０の場合には、支持体１０の対向する長辺のそれぞれに装飾部３０を設けることが好ましい。
【００３０】
（ロール状の例）
図４は、ロール状の例を示す模式図である。
図４に示すように、支持体１０、膏体２０および装飾部３０を含む構造体１００がロール状に構成されていてもよい。構造体１００がロール状に設けられていることで、必要な長さの湿布をロールから引き出して貼ることができる。また、包帯やテーピング用のテープを巻く要領で装飾湿布１を患部に巻き付けるように貼ることができる。指や脚に湿布を貼る際には湿布全体が露出する場合が多いが、本実施形態の装飾湿布１では、湿布全体が見えても両方の長辺に沿って装飾部３０があることで抵抗感なく貼ることができる。また、あえて装飾部３０を見せるようにすることで、本来は無い湿布のファッション性を楽しむこともできる。
【００３１】
（分割タイプの例）
図５（ａ）および（ｂ）は、分割タイプの例を示す模式図である。
図５（ａ）および（ｂ）に示すように、分割タイプの装飾湿布１は、１枚の構造体１００を分割することで装飾湿布１として利用できるものである。図５（ａ）に示すように、構造体１００に非直線（例えば、波形）の切れ目Ｃを設けておく。この切れ目Ｃに対して一方側を剥離フィルム４０から剥がすことで、切れ目Ｃの形（例えば波形）が縁に現れ、ここが装飾部３０となる装飾湿布１が構成される。切れ目Ｃに対して他方側についても、一方側が剥がれることで切れ目Ｃの形（例えば波形）が縁に現れて装飾部３０を備えた装飾湿布１が構成される。
【００３２】
切れ目Ｃの形状によって装飾部３０の形状を変えることができる。また、切れ目Ｃの位置を構造体１００の中央に設けることで、切れ目Ｃに対して一方側および他方側にそれぞれ同じ大きさの２枚の装飾湿布１が構成される。また、切れ目Ｃの位置を構造体１００の縁に近い側に設けることで、切れ目Ｃに対して一方側と他方側とで幅の異なる２枚の装飾湿布１を構成することもできる。一つの構造体１００に複数の切れ目Ｃを設けておけば、切れ目Ｃの本数プラス１枚の装飾湿布１を構成することができる。複数の切れ目Ｃについて形状を変えておくことで、構成される装飾湿布１の装飾部３０の形状を変えることができる。
【００３３】
（使用例）
次に、本実施形態に係る装飾湿布１の使用例について説明する。
図６（ａ）〜図７（ｂ）は、本実施形態に係る装飾湿布の使用例を示す模式図である。
図６（ａ）には、肩に装飾湿布１を貼り付けた例が示される。肩の部分に湿布を貼る場合、衣服の首まわりから湿布の一部がはみ出しやすい。そこで、装飾部３０を露出側にして装飾湿布１を貼ることで、はみ出した部分が見えても抵抗感が少なくなる。一方、装飾部３０が設けられていない側を衣服の下に隠すようにすることで、湿布を貼っている感じを意識させず、しかも湿布の面積や密着力を十分に得ることができるようになる。
【００３４】
図６（ｂ）には、首回りや首に近位な肩に装飾湿布１を貼り付けた例が示される。この位置では、装飾湿布１がほとんど露出することになる。このような位置に貼る際には、支持体１０の２辺以上に装飾部３０が設けられた装飾湿布１が好ましい。
【００３５】
図７（ａ）には、首および肩の周りへの他の貼り方が示される。図７（ａ）の矢印Ｅｘ１で示す貼り方は、２枚の装飾湿布１を重ねて貼る例である。支持体１０の一辺のみに装飾部３０が設けられた装飾湿布１の互いの直線の辺を合わせて貼り付けることで、２辺に装飾部３０が設けられた装飾湿布１と等価となって、露出の多い場合に有効である。
【００３６】
図７（ａ）の矢印Ｅｘ２で示す貼り方は、２枚の装飾湿布１を交差させて貼り付ける例である。また、テープ状の装飾湿布１を肩紐のように貼るようにしてもよい。
【００３７】
図７（ｂ）には、脚部への貼り方が示される。ここでは、長尺状の支持体１０を有する装飾湿布１を脚部へ貼る例が示される。図７（ｂ）の矢印Ｅｘ３に示す貼り方は、膝の周りを囲むようにテープ状の装飾湿布１を貼る例である。図７（ｂ）の矢印Ｅｘ４に示す貼り方は、２枚（２本）の装飾湿布１を交差させて貼る例である。図７（ｂ）の矢印Ｅｘ５に示す貼り方は、テープ状の装飾湿布１を「ふくらはぎ」から「すね」にかけて斜めに貼る例である。支持体１０としてテーピング用の材料を用いることで、湿布とともにテーピングとしても利用可能となる。図７（ｂ）では脚部への貼り方が示されているが、脚部以外の腕や指などに貼る場合も同様である。
【００３８】
（皮膚貼付材）
上記では支持体１０に膏体２０が設けられた装飾湿布１について示したが、本考案は、膏体２０の代わりに皮膚に貼付するための貼付機能部２０Ｂ（膏体２０を含まない粘着層や皮膚へ密着する機能層）を備えた皮膚貼付材１Ｂであってもよい。皮膚貼付材１Ｂとしては、例えば、絆創膏、テーピング用のテープ、医療用テープなどである。
【００３９】
皮膚貼付材１Ｂにおいては、図４に示すロール状の装飾湿布１と同様に、支持体１０、貼付機能部２０Ｂ（膏体２０と同じ位置で膏体２０に代わるもの）および装飾部３０を含む構造体１００がロール状に構成されていてもよい。これにより、必要な長さの皮膚貼付材１Ｂをロールから引き出して貼ることができるとともに、装飾部３０を見せるようにして皮膚貼付材１Ｂを貼ることができる。
【００４０】
また、皮膚貼付材１Ｂは、上記説明した矩形状の装飾湿布１（図２参照）、長尺状の支持体１０を有する装飾湿布１（図３参照）、分割タイプの装飾湿布１（図５参照）と同様な構成をとることができる。また、皮膚貼付材１Ｂは、図６および図７に示すような装飾湿布１と同様な使用例での使用のほか、他の部材を皮膚に止めておくためのテープとしても使用可能である。
【００４１】
以上説明したように、本実施形態によれば、貼付の場所によらず抵抗感なく楽しく使用することができる装飾湿布および皮膚貼付材を提供することが可能になる。
【００４２】
なお、上記に本実施形態およびその適用例を説明したが、本考案はこれらの例に限定されるものではない。例えば、装飾部３０の形状および模様の例は上記説明したものに限定されず、様々な形状および模様を適用することができる。また、装飾湿布１や皮膚貼付材１Ｂの表面に色、模様、絵などを付してもよい。また、支持体１０として矩形の例を示したが、矩形以外の多角形であっても適用可能である。また、装飾湿布１における湿布タイプとしては、バップ剤であってもテープ剤であっても適用可能である。
【００４３】
また、前述の各実施形態またはその適用例に対して、当業者が適宜、構成要素の追加、削除、設計変更を行ったものや、各実施形態の特徴を適宜組み合わせたものも、本考案の要旨を備えている限り、本考案の範囲に包含される。
【符号の説明】
【００４４】
１…装飾湿布
１Ｂ…皮膚貼付材
１０…支持体
１０ａ…縁
２０…膏体
２０Ｂ…貼付機能部
３０…装飾部
４０…剥離フィルム
１００…構造体
Ｃ…切れ目
【図１】
0003226267.tif 000003
【図２】
0003226267.tif 000004
【図３】
0003226267.tif 000005
【図４】
0003226267.tif 000006
【図５】
0003226267.tif 000007
【図６】
0003226267.tif 000008
【図７】
0003226267.tif 000009